(57)【要約】      （修正有）【課題】小魚による差し餌や撒き餌の食い逃げ防止や、撒き餌の水中への流出防止を図り、棚へ高濃度の撒き餌をして集魚効果の向上を図る撒き餌容器を提供する。【解決手段】筒状本体１と一体のドーム部３の天頂部から突出させた吊杆４の上端に道糸を結糸し、ドーム部３内の吊杆に押圧バネ５を弾装し、吊杆４の下端をドーム部３内に設けた天秤８の一端に連結すると共に天秤８を支持する支持軸をドーム部３に横架して固着し、天秤８の他端を筒状本体１の下部開口に開閉自在に取り付けた底蓋１０を押圧して筒状本体１から解放する押し下げ杆１１の上端に連結し、押し下げ杆１１と並列し底蓋１０を係脱自在に係止する突起１３の尖端部に対向する係止部材１４を底蓋１０に設け、底蓋１０に突起１３の尖端部が出没する通孔１０ａを穿孔した。【選択図】図２
0003205607.tif 000002
【実用新案登録請求の範囲】
【請求項１】
筒状本体の上部に嵌合するドーム部を設け、ドーム部の天頂部から突出させた吊杆の上端と、天頂部からドーム部内へ垂下させた吊杆の下端をアイボルト状に成形すると共に、ドーム部内に位置する吊杆に押圧バネを弾装し、吊杆の上端に道糸を結止し、吊杆の下端に天秤の一端を連結すると共に天秤の中心孔で天秤を揺動自在に支持する支持軸を吊杆の垂下方向から離れた位置においてドーム部に横架して固着し、天秤のドーム部内壁寄りの他端を、筒状本体の下部に開閉自在に取り付ける底蓋の内底面を押圧して筒状本体から解放する押し下げ杆の上端に連結すると共に、押し下げ杆と並列して底蓋の閉塞状態を係脱自在に係止する突起の尖端部と対向する係止部材を底蓋の内底面に設け、且つ突起の尖端部が出没する通孔を底蓋に穿孔し、筒状本体の下部開口から下方へ突出する突起の尖端部を保護する防護片を筒状本体下部から垂設して成る底蓋が開閉自在な撒き餌容器。
【請求項２】
筒状本体の内壁面の軸線方向へ錘を貼り付けると共に、底蓋の下面にも錘を貼り付けて成る請求項１に記載の底蓋が開閉自在な撒き餌容器。
【請求項３】
円錐形の筒状本体頭部を成形し、筒状本体に多数の空気抜き孔を設け、筒状本体の内壁面の軸線方向へ錘を貼り付けると共に底蓋の下面にも錘を貼り付け、底蓋の閉塞状態を係脱自在に保持する突起の尖端と対向する係止部材を底蓋に設け且つ筒状本体の下部から突出する突起の尖端部を保護する防護片を、筒状本体下部から垂設し、構造を簡略化したことを特徴とする底蓋が開閉自在な撒き餌容器。
【考案の詳細な説明】
【技術分野】
【０００１】
本考案は底蓋が開閉自在な撒き餌容器に関する考案であり、波止場釣り用と、2種類の船釣り用の計3タイプがある。
【背景技術】
【０００２】
波止場の岸壁から、或いは波止場周辺の海上でボートから釣る浅場や、深場のある沖合にまで広がる釣り場で、ホンアジ、ノドグロ、ジンタを狙うときに用いるビシ付きのコマセカゴは、鉛の錘(ビシ)を底蓋に取り付けたものを使用している。この海釣り用のコマセカゴは撒き餌を入れる中空の筒状本体の側面に設けた餌容器の蓋を開閉自在にスライドさせて開放し、魚の生息する棚に撒き餌を放散させている。実用新案登録第３０７７３００号(特許文献1)。
【０００３】
下端に仕掛けを接続すると共に上端に道糸を接続した嵌合部を備えるコマセ用篭と、道糸に所定の範囲内で移動可能に取り付けられた嵌合部に着脱可能な嵌合部を備えた、釣り具と浮きとコマセ用篭から成る考案がある。実開平７-３００６３( 特許文献２)。
中空のコマセ管の上部と下部を円錐状に形成すると共に該円錐部にコマセ管へ流入する海水量を調整するための多数の孔を設け、その円錐部に摺動自在に被せて孔からの流入量を調整する孔を多数設けた摺動部の各孔と円錐部の各孔とを連通させ、連通度を適宜量に調整して孔から流入する海水量を制御し、コマセ管が棚に達したとき各孔から適量の撒き餌を無駄なく放散させている市販品がある。
【先行技術文献】
【特許文献】
【０００４】
【特許文献１】登録実用新案公報第３０７７３００号
【特許文献２】実開平７-３００６３号公報
【考案の概要】
【０００５】
１  波止場の岸壁から、或いは波止場周辺の浅場の海上でボートから釣る天秤付きのタイプ1に係る、底蓋が開閉自在な撒き餌容器の考案。請求項1  図1（外観図）図5（係止部詳細図）。
【０００６】
撒き餌を入れる筒状本体と、筒状本体の上部に嵌合するドーム部と、ドーム部内に設ける天秤と、筒状本体の下部に開閉自在に取り付ける底蓋とから成り、ドーム部の天頂部から突出させ道糸を取り付ける吊杆の上端と、ドーム部内に垂下させる吊杆の下端をアイボルト状に成形し、且つドーム部内に位置する吊杆の上端と天秤にわたり押圧バネを弾装し、吊杆の下端を天秤の一端に連結すると共に、天秤の中心孔で天秤のシーソー運動を支持する支持軸を吊杆の垂下方向から離れて位置するドーム部に横架して固着し、釣り竿の上下シャクリ動作と連動し底蓋の内底面を押圧して底蓋を筒状本体から解放する押し下げ杆の上端を、天秤のドーム部内壁寄りの他端に連結し、押し下げ杆と並列して筒状本体の下部内壁に固着され、底蓋の閉塞状態を保持する銛の穂先状に成形した突起の尖端部と対向する底蓋の内底面に通孔を設けると共に、突起の尖端部と係脱自在に係止する係止部材を設け、筒状本体の下部開口から下方へ突出させた突起の尖端部を保護する防護片を筒状本体の下部外壁から垂設したのであり、魚の生息する棚へ撒き餌するための水深を保持する浮きを用いている。
【０００７】
２  船釣り用の天秤付きタイプ2に係る底蓋が開閉自在な撒き餌容器の考案。
請求項２  図2〜図８。
タイプ１に係る考案と異なる点は、筒状本体の長さを長くして、筒状本体の内壁面の軸線方向へ鉛材の錘(ビシ)を貼り付けると共に、底蓋の下面にも鉛材の錘(ビシ)を貼り付け、ドーム部から突出させた吊杆と道糸を、跳上げ杆の両端に連結したことを特徴としている。
【０００８】
タイプ１に係る考案と同様な点は、底蓋の閉塞状態を係脱自在に係止する筒状本体の内壁に固着した突起を、銛の穂先状に成形した尖端部と対向する底蓋の内底面に通孔を設けると共に、係止部材を設けたこと、筒状本体の下部開口から突起を下方へ突出させた突起の尖端部を保護する防護片を筒状本体の下部外壁から垂設したことであり、タイプ１の撒き餌容器自体が軽量のため深場の速い潮流に流されてしまい、魚が生息する水深の深い棚へ確実に到達させ大量の撒き餌ができないことを解決するためあり、筒状本体と底蓋に係る撒き餌容器の総重量を重くした底蓋が開閉自在な撒き餌容器であり、釣り竿を手元でシャクリ動作を行い、その動作を確実に底蓋に伝達するため道糸と前記吊杆間に跳上げ杆を連結し、吊杆を介して行う上下動のシャクリ動作をシーソー運動に変換する天秤に伝えるのであり、釣り竿には道糸巻き取り用の電動リールを取り付け、釣り船の舷側において使用する。
【０００９】
３  船釣り用のタイプ3に係る底蓋が開閉自在な撒き餌容器の考案。請求項３、図９。
タイプ2に係る考案と異なる点は、ドーム部と、ドーム部内に収納している天秤、道糸に連結する跳上げ杆及び底蓋の押し下げ杆を省略していることである。
【００１０】
ドーム部に替える円錐形の筒状本体頭部を成形し、筒状本体には複数個の空気抜き孔を設け、総重量の重い撒き餌容器を、魚の生息する水深の深い棚へ速い潮流に流されずに迅速に到達させ、釣り竿手元のシャクリ動作により底蓋を解放して大量の撒き餌を無駄なく散布すると共に、製造コストの引き下げを図ることを目的としているのであり、底蓋の内底面に通孔を設けると共に係止部材を設けて筒状本体の下部内壁に取り付ける銛の穂先状に成形した突起の尖端部を係脱自在に係止し、開口から突出する突起の尖端部を保護するための防護片を筒状本体の下部外壁に取り付けている。釣り竿には道糸巻き取り用の電動リールを取り付け、釣り船の舷側において使用する。
【考案が解決しようとする課題】
【００１１】
釣り対象魚が生息している棚(水深)まで魚を誘い集魚する撒き餌(コマセ)Ａと、差し餌(針に差した餌)Ｂを入れたコマセカゴ(撒き餌容器)が棚へ到達する迄の水中沈降中に、小魚が差し餌を食い逃げするのを避け、コマセがコマセカゴから短時間のうちに海水中へ流出しないようにし、棚へ到達したとき竿先を手元のシャクリ動作(跳ね上げ杆の上下動作)でカゴの底蓋を押し下げて全開し、魚が生息する棚へコマセ濃度を高く保持した大量の撒き餌をし、集魚効果の増大と、差し餌の食い逃げ防止及び容器の製造コストの低減を図ることを目的とする底蓋が開閉自在な撒き餌容器に関する考案である。
【００１２】
因みに電動リールの動作で撒き餌容器が棚で停止すように水深を設定する場合、関西では水面からの距離で設定し、関東では海底からの距離で設定している。
【課題を解決するための手段】
【００１３】
請求項１に係る考案。  図1（外観図）。
撒き餌Ａを入れる筒状本体1と、筒状本体1の上部に嵌合するドーム部3と、ドーム部3内に設ける天秤8と、筒状本体1の下部に開閉自在に取り付ける底蓋10とから成り、ドーム部3の天頂部から突出させ道糸6を取り付ける吊杆4の上端と、ドーム部3内に垂下した吊杆4の下端をアイボルト状に成形し、且つドーム部3の天頂部に設けた座金16と、ドーム部3内に位置する吊杆4と天秤8の連結部にわたり押圧バネ5を弾装し、吊杆4の下端を天秤8の一端に連結すると共に、天秤8の中心孔8aで支持して天秤8のシーソー運動を保持する支持軸9を中心孔8aに挿通し、該支持軸9の両端を吊杆4の垂下方向から離れた位置においてドーム部3に横架して固着し、吊杆4を釣り竿のシャクリ動作で底蓋10の内底面を押圧し底蓋10を筒状本体1から解放する押し下げ杆11の上端を天秤8のドーム部3の内壁寄りの他端に連結する。
【００１４】
押し下げ杆11と並列して底蓋10の閉塞状態を保持する突起13を筒状本体1の下部内壁に固着し、突起13の尖端部を銛の穂先形状に成形し、尖端部と対向する底蓋10の内底面に突起13の尖端部が係脱自在に係合する係止部材14を敷設すると共に突起13の尖端部を出没自在に挿通させる通孔10ａを底蓋10に穿孔し、筒状本体1の下部開口から下方へ突出させた突起13の尖端部を保護する防護片15を筒状本体1の下部外壁から垂設する。
【００１５】
而して突起13の尖端部と係止部材14の相互作用を特記した図６ａと図６ｂにより詳述すると、底蓋10の内底面に並列する2本の金属細線14ａ、14ａの基部をハンダ付け14ｂすると共にその先端部を解放し、突起13の尖端部を出没自在に挿通させる底蓋10に設けた通孔10ａの上方に橋渡しする形態で金属細線14ａ、14ａの先端部を通孔10の上方に取り付ける。
【００１６】
突起13の尖端部を、尖端から基部側へかけ断面が登り勾配のテーパー面と、次いで登り勾配のテーパー面から断面が降り勾配のテーパー面を連設し、登り勾配のテーパー面に沿って2本の金属細線14ａ、14ａが挟持されると金属細線14ａ、14ａの弾発力で突起13の尖端部が拡開し、次いで降り勾配のテーパー面に沿って金属細線14ａ、14ａが挟持されると金属細線14ａ、14ａの弾縮力で突起13の尖端部が降り勾配のテーパー面に圧接し、突起13が係止部材14に確実に係止されるのである。
【００１７】
筒状本体1の下部開口から下方へ突出している突起13の尖端部を保護する防護片15を筒状本体1の下部外壁から垂設したのであり、魚の生息する棚へ撒き餌するための水深を保持する浮き16を用いている。
【００１８】
請求項２に係る考案。  図2〜図８。
【００１９】
筒状本体1の内壁面に沿って断面蒲鉾状に成形した鉛材の錘(ビシ)2を筒体本体1の軸線方向へ貼り付け、筒状本体1の上部に嵌合するドーム部3を一体的に設ける。（図2におけるＡ−Ａ部）更に筒状本体1の下部に開閉自在に取り付けている底蓋10の外底面にも鉛材の錘(ビシ)2を取り付ける。
【００２０】
ドーム部3の天頂部から突出させた吊杆4の上端と、天頂部からドーム部3内へ垂下させた吊杆4の下端をそれぞれアイポルト状に成形すると共に、天頂部に設けた座金16と、ドーム部3内に位置する吊杆4と天秤8の連結部にわたり押圧バネ5を弾装すし、吊杆4を上方へ引き上げたとき押圧バネ5が弾縮して、押し下げ杆11を強制的に筒状本体1の下部開口から下方へ突出させて底蓋10を押圧し、底蓋10を筒状本体1から解放するのである。
【００２１】
吊杆4の上端と、道糸6を取り付けた竿先に渡り鈎型の跳上げ杆7に連結する。
【００２２】
ドーム部3内に位置する吊杆4の下端に、略菱形板体を呈する天秤8の一端を連結すると共に天秤8に設けた中心孔8aで天秤8のシーソー運動を支持する支持軸9の両端を吊杆4の垂下方向から離れた位置においてドーム部3内に横架し固着する。図８。
【００２３】
筒状本体1の下部に開閉自在に取り付ける底蓋10の外面に鉛材の錘(ビシ)2を貼り付け、底蓋10の内底面を押圧して底蓋10を筒状本体1から解放する押し下げ杆11の上端にドーム部3の内壁寄りの天秤8の他端を連結し、押し下げ杆11の下部を筒状本体1の下部内壁に設けたガイド環12に緩挿して押し下げ杆11を交互に正確に上下動させ、押し下げ杆11に連結した天秤8は吊杆4のシャクリ動作によりシーソー運動し、底蓋10を確実に筒状本体1から解放する。
【００２４】
底蓋10の閉塞状態を保持する銛の穂先状に成形した突起13を筒状本体1の下部内壁に、その尖端部を底蓋10の内底面に設けている通孔10ａから突出した状態で固着すると共に、突起13の尖端部が係脱自在に係合する係止杆材14を底蓋10の内底面に敷設し、突起13の尖端部を通孔10ａから出没させる。
【００２５】
突起13の尖端部を保護するため防護片15を筒状本体1の下部から垂設する。
【００２６】
係止杆材14は図5、図６ａ及び図６ｂに示すように、2本の金属細線14ａ、14ａを並列して底蓋10の内底面に設けた通孔10ａに橋渡した状態で敷設すると共に、基端面をハンダ付けする。（14ｂ）
係止杆材14に係脱自在に係止する突起13の尖端部は銛の穂先状に成形され、その尖端から中央部にかけて登り勾配のテーパー面に、そこから基端へかけて降り勾配のテーパー面に成形する。従って係止杆材14を構成する金属細線14ａ、14ａ間に突起13の尖端部が挟持され登り勾配のテーパー面を乗り超えたとき降り勾配のテーパー面の位置で係止されるのである。尚、金属細線14の弾縮力の強弱を調整するためハンダ付け14ｂの位置を適宜に変更して行う。
【００２７】
請求項３に係る考案  図９。
【００２８】
タイプ2に係る考案と異なる点は、ドーム部と、ドーム部内に収納している天秤と、道糸に連結する跳上げ杆及び底蓋の押し下げ杆を省略していることである。
【００２９】
即ち、ドーム部に替え円錐形の筒状本体頭部1ａを成形し、筒状本体1に複数個の空気抜き孔17を設け、魚の生息する水深の深い棚へ速い潮流に流されずに迅速に到達させた棚で、釣り竿のシャクリ動作により突起13の尖端部を係止杆材14から離脱させて底蓋10を解放し、大量に撒き餌すると共に、構造を簡略化して製造コストの引き下げを図ることを目的としている。
【００３０】
尚、請求項1及び請求項2に係る考案と同様に、底蓋10の内底面に係止部材14を設け、係止部材14に係脱自在に係止する銛の穂先状に成形した突起13を筒状本体1の下部内壁に取り付けて筒状本体1の開口から垂設すると共に、突起13を保護する防護片15を筒状本体1の下部外壁に垂設し、釣り竿には道糸巻き取り用の電動リールを取り付け、釣り船の舷側において使用する。
【考案の効果】
【００３１】
釣り対象魚が生息している棚(水深)で魚を惹き寄せ集魚する撒き餌(コマセ)及び、差し餌(針に差した餌)を入れた本考案に係る撒き餌容器（コマセカゴ）が棚へ到達する迄の水中沈降中に、小魚に差し餌を食い逃げされる恐れがなく又、撒き餌が容器から短時間のうちに海水中へ流出する恐れもない。また棚へ到達したとき、釣り竿の手元によるシャクリ上下動作、又は跳上げ杆7の上下動作で底蓋10を押し下げて全開し、対象魚が生息する棚へコマセ濃度を高く保持した撒き餌ができるため、集魚効果が増大すると共に製造コストの引き下げを図ることができる。
【図面の簡単な説明】
【００３２】
【図１】請求項1に係る波止場釣り用の撒き餌容器の構造を示す正面図。
【図２】請求項2に係る船釣り用の撒き餌容器の底蓋を解放した状態を示す一部縦断正面図。
【図３】同、底蓋を閉じた状態を示す一部縦断正面図。
【図４】同、底蓋を示す正面図。
【図５】同、平面図。
【図６】ａ  銛の穂先状に成形した突起の尖端部と、底蓋の内底面に敷設した係止部材の相互作用を特記した要部切欠き平面図。                                                  ｂ同、係止部材に係脱自在に係止する突起の尖端部の構造を示す要部拡大正面図。
【図７】錘を底蓋の外底面に取り付けた状態を示す底面図。
【図８】ドーム部内の構造を示す平面図。
【図９】請求項3に係る構造を簡略化した船釣り用の撒き餌容器を示す一部縦断正面図。
【符号の説明】
【００３３】
１  筒状本体  
２  錘（ビシ）
３  ドーム部
４  吊杆
５  押圧バネ
７  跳上げ杆
８  天秤    ８ａ  天秤の中心孔
9  支持軸
10  底蓋  10ａ  通孔
11  押し下げ杆
13  突起
１4  係止部材  14ａ  金属細線  14ｂ  ハンダ付け
15  防護片
17  空気抜き穴
Ａ  撒き餌
Ｂ  差し餌
【図１】
0003205607.tif 000003
【図２】
0003205607.tif 000004
【図３】
0003205607.tif 000005
【図４】
0003205607.tif 000006
【図５】
0003205607.tif 000007
【図６】
0003205607.tif 000008
【図７】
0003205607.tif 000009
【図８】
0003205607.tif 000010
【図９】
0003205607.tif 000011